(57)【要約】      （修正有）【課題】現場での施工が迅速かつ容易であるとともに、硬く尖ったものが当たっても削れにくいＰＴＦＥ板材を提供する。【解決手段】ＰＴＦＥ板材１０を、ＰＴＦＥ板１２と、クッション材１４と、ＰＴＦＥ板の一方の面１２ａにクッション材を接着する接着材１６とで構成する。クッション材におけるＰＴＦＥ板接着面と反対側の面には、剥離紙付きの粘着材層が設けられていてもよい。またクッション材は、ＰＴＦＥ板よりも肉厚であり、エチレンプロピレンゴムスポンジであることが好ましい。【選択図】図１
0003189758.tif 000002
【実用新案登録請求の範囲】
【請求項１】
ＰＴＦＥ板と、クッション材と、前記ＰＴＦＥ板の一方の面に前記クッション材を接着する接着材とを有するＰＴＦＥ板材。
【請求項２】
前記クッション材における、前記ＰＴＦＥ板に接着するのとは反対側の面には、剥離紙付きの粘着材層が設けられている、請求項１に記載のＰＴＦＥ板材。
【請求項３】
前記クッション材は、前記ＰＴＦＥ板よりも肉厚である、請求項１または２に記載のＰＴＦＥ板材。
【請求項４】
前記クッション材は、ＥＰＤＭスポンジである、請求項１から３のいずれかに記載のＰＴＦＥ板材。
【考案の詳細な説明】
【技術分野】
【０００１】
本考案は、クッション材を含むＰＴＦＥ板材に関する。
【背景技術】
【０００２】
テフロン（登録商標）の商品名で知られるポリテトラフルオロエチレン（本明細書では「ＰＴＦＥ」と記載する）は、耐熱性や耐薬品性に優れているとともに、非常に摩擦係数が小さいという特徴を有しており、産業分野から民生品分野に至る様々な用途に使用されている。
【０００３】
ＰＴＦＥは、上記の特性を活かして、例えばプラントに設けられた粉状物貯留サイロの内壁に施工されており、当該サイロ内で粉状物がブリッジを起こしたり、不所望に残留したりするのを防止している（特許文献１）。
【先行技術文献】
【特許文献】
【０００４】
【特許文献１】特開平８−１２０７３号公報
【考案の概要】
【考案が解決しようとする課題】
【０００５】
しかしながら、ＰＴＦＥをサイロの内壁等に施工しようとすると、サイロの壁材等（鉄板等）の表面にＰＴＦＥを塗布した後、炉等に入れて焼成する必要があることから、現場での迅速な施工ができないという問題があった。
【０００６】
また、近年、ＰＴＦＥ板（ＰＴＦＥを板状に成形したもの）用の接着剤が開発されているが、このような接着剤は速乾性であることから、この場合も現場でＰＴＦＥ板を施工するのが難しいという問題があった。
【０００７】
さらに言えば、ＰＴＦＥ板は、よくすべり異物の付着等を大幅に軽減するものの、比較的柔らかい素材であることから、硬く尖ったものが当たると削れてしまうという問題があった。
【０００８】
本考案は、このような従来技術の問題点に鑑みて開発されたものである。それゆえに本考案の主たる課題は、現場での施工が迅速かつ容易であるとともに、硬く尖ったものが当たっても削れにくいＰＴＦＥ板材を提供することにある。
【課題を解決するための手段】
【０００９】
請求項１に記載した考案は、ＰＴＦＥ板と、クッション材と、ＰＴＦＥ板の一方の面にクッション材を接着する接着材とを有するＰＴＦＥ板材である。
【００１０】
請求項２に記載した考案は、請求項１に記載したＰＴＦＥ板材の改良に関し、クッション材における、ＰＴＦＥ板に接着するのとは反対側の面には、剥離紙付きの粘着材層が設けられていることを特徴とする。
【００１１】
請求項３に記載した考案は、請求項１または２に記載したＰＴＦＥ板材の改良に関し、クッション材は、ＰＴＦＥ板よりも肉厚であることを特徴とする。
【００１２】
請求項４に記載した考案は、請求項１から３のいずれかに記載したＰＴＦＥ板材の改良に関し、クッション材は、ＥＰＤＭスポンジであることを特徴とする。
【考案の効果】
【００１３】
本考案によれば、ＰＴＦＥ板とクッション材とが接着材によって予め接着されたＰＴＦＥ板材を提供できるので、クッション材に適した速乾性ではない別の接着材を用いて鉄板等の表面にＰＴＦＥ板材を施工することができ、現場での施工が迅速かつ容易になる。加えて、ＰＴＦＥ板と鉄板等との間にクッション材が存在しているので、ＰＴＦＥ板に硬く尖ったものが当たったとしても受け流すことができるようになる。これにより、硬く尖ったものが当たっても削れにくいＰＴＦＥ板材を提供することができる。
【図面の簡単な説明】
【００１４】
【図１】第１実施例のＰＴＦＥ板材についての分解斜視図である。
【図２】第１実施例のＰＴＦＥ板材についての断面図である。
【図３】第２実施例のＰＴＦＥ板材についての分解斜視図である。
【図４】第２実施例のＰＴＦＥ板材についての断面図である。
【考案を実施するための形態】
【００１５】
（第１実施例）
本考案の実施例を、図面を利用して説明する。本考案に基づく第１実施例のＰＴＦＥ板材１０は、図１および図２に示すように、ＰＴＦＥ板１２と、クッション材１４と、接着材１６とで構成されている。
【００１６】
ＰＴＦＥ板１２は、ＰＴＦＥを板状に加工した板材であり、板厚は例えば０．５ｍｍが考えられる。あまり板厚を薄くしすぎると、接着材１６を介してクッション材１４の生地色が透けて見えてしまうので注意を要する。
【００１７】
クッション材１４は、ＰＴＦＥ板１２に比べて弾力性（緩衝力）が高い材料を板状に加工した板材であり、板厚は例えば２ｍｍが考えられる。クッション材１４の弾力性によってＰＴＦＥ板１２に硬く尖ったものが当たったとしても受け流すようにさせることから、クッション材１４はＰＴＦＥ板１２よりも肉厚であることが好適である。
【００１８】
なお、クッション材１４の例としては、ＥＰＤＭ（エチレンプロピレンゴム）スポンジが考えられる。ＥＰＤＭスポンジである理由は、その柔軟性と軽量性にある。柔軟性によって弾力性を担保することができるとともに、ＰＴＦＥ板１２も柔軟性に富んでいることと相まって、ＰＴＦＥ板材１０を曲面にも容易に接着することができる。また、軽量性によってＰＴＦＥ板材１０全体の重量を軽くすることができるので、別の接着材を用いて鉄板等の表面にＰＴＦＥ板材１０を施工したとき、別の接着材に重量的負担をかけず容易に接着することができる。さらに、白色のＥＰＤＭスポンジを使用することにより、ＰＴＦＥ板材１０を食品関係の用途にも使用できる。また、ＰＴＦＥ板１２の板厚を薄くしてクッション材１４の生地色が透けて見えたとしても、白色のＥＰＤＭスポンジを使用していれば、見栄えが損なわれるおそれが少ないというメリットもある。もちろん、クッション材１４として、例えば、ＮＲ（天然ゴム）スポンジ、ＣＲ（クロロプレンゴム）スポンジ、あるいは、ＳＢＲ（スチレンブタジエンゴム）スポンジを使用することもできる。
【００１９】
接着材１６は、図１に示すように、ＰＴＦＥ板１２の一方の面１２ａにクッション材１４を接着するものであり、例えば、株式会社フォーフロントの「フロント１０７」が考えられる。もちろん、接着材１６はこれに限定されるものではなく、ＰＴＦＥ板１２とクッション材１４とを接着できるものであれば、どのような種類のものでも使用できる。
【００２０】
ＰＴＦＥ板材１０の製造手順について簡単に説明すると、所定の寸法に切断等したＰＴＦＥ板１２およびクッション材１４を予め用意しておく。次に、ＰＴＦＥ板１２の接着面１２ａに接着材１６を塗布する。塗布する範囲は、ＰＴＦＥ板１２の接着面１２ａ全面でもよいし、接着面１２ａの一部であってもよい。また、塗布は、手動による刷毛塗りや自動塗布等、どのような方法であってもよい。いずれにせよ、現場ではなく、工場で接着材１６を用いた接着作業を行うことができるので、速乾性の接着材１６を使用するとしても、現場作業で困ることはない。
【００２１】
ＰＴＦＥ板１２の接着面１２ａに接着材１６を塗布した後、クッション材１４を接着面１２ａに重ねて必要な押圧力を付与し、所定の時間この押圧力を維持する。これにより、クッション材１４がＰＴＦＥ板１２に接着されて、ＰＴＦＥ板材１０が完成する。
【００２２】
本実施例によれば、ＰＴＦＥ板１２とクッション材１４とが接着材１６によって予め接着されたＰＴＦＥ板材１０を提供できるので、クッション材１４に適した速乾性ではない別の接着材を用いて鉄板等の表面にＰＴＦＥ板材１０を施工することができ、現場での施工が迅速かつ容易になる。加えて、ＰＴＦＥ板１２と鉄板等との間にクッション材１４が存在しているので、ＰＴＦＥ板１２に硬く尖ったものが当たったとしても受け流すことができるようになる。これにより、硬く尖ったものが当たっても削れにくいＰＴＦＥ板材１０を提供することができる。
【００２３】
（第２実施例）
第２実施例については、第１実施例との相違点のみ説明する。
【００２４】
図３および図４に示すように、第２実施例のクッション材１４における、ＰＴＦＥ板１２に接着するのとは反対側の面１４ａには、剥離紙付きの粘着材層１８が設けられている。
【００２５】
粘着材は、クッション材１４とＰＴＦＥ板材１０が施工される鉄板等の材質との間で必要な接着力を発揮できるものであれば、どのようなものでもよい。
【００２６】
このように、剥離紙付きの粘着材層１８を設けることにより、第１実施例のＰＴＦＥ板材１０の効果に加えて、現場において別の接着材を使用することなく、剥離紙を剥がして粘着材層１８を施工面に押しつけることによりＰＴＦＥ板材１０を施工することが可能となり、施工がより容易なＰＴＦＥ板材１０を提供することができる。
【００２７】
今回開示された実施形態はすべての点で例示であって制限的なものではない。本考案の範囲は、上記した説明ではなく、実用新案登録請求の範囲によって示され、実用新案登録請求の範囲と均等の意味および範囲内でのすべての変更が含まれることが意図される。
【符号の説明】
【００２８】
１０…ＰＴＦＥ板材、１２…ＰＴＦＥ板、１４…クッション材、１６…接着材、１８…剥離紙付き粘着剤層
【図１】
0003189758.tif 000003
【図２】
0003189758.tif 000004
【図３】
0003189758.tif 000005
【図４】
0003189758.tif 000006